【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
離散フーリエ変換（ＤＦＴ）行列に基づいて生成された直交シーケンスのセットから第１及び第２の直交シーケンスを選択することと；
ベース・シーケンスの異なる周期シフトに基づいて生成された参照信号シーケンスのセットから第１及び第２の参照信号シーケンスを選択することと；
パイロット・シーケンスを送るために第１のユーザ設備（ＵＥ）に前記第１の参照信号シーケンス及び前記第１の直交シーケンスを割り当てることと；
パイロット・シーケンスを送るために第２のユーザ設備（ＵＥ）に前記第２の参照信号シーケンス及び前記第２の直交シーケンスを割り当てることと；
を含むことを特徴とする無線通信のための方法。
【請求項２】
複数のシンボル周期の複数のサブキャリアで前記第１のＵＥからの第１のパイロット・シーケンスのセットを受信することと、なお、前記第１のパイロット・シーケンスのセットが前記第１の参照信号シーケンス及び前記第１の直交シーケンスに基づいて前記第１のＵＥによって生成される；
前記複数のシンボル周期の前記複数のサブキャリアで前記第２のＵＥからの第２のパイロット・シーケンスのセットを受信することと、なお、前記第２のパイロット・シーケンスのセットが前記第２の参照信号シーケンス及び前記第２の直交シーケンスに基づいて前記第２のＵＥによって生成される；
を更に含むことを特徴とする請求項１に記載の方法。
【請求項３】
パイロット・シーケンスを送るために第３のＵＥに前記第１の参照信号シーケンス及び前記第２の直交シーケンスを割り当てることと；
パイロット・シーケンスを送るために第４のＵＥに前記第２の参照信号シーケンス及び前記第１の直交シーケンスを割り当てることと；
を更に含むことを特徴とする請求項１に記載の方法。
【請求項４】
ウォルシュ行例に基づいて生成された第２の直交シーケンスのセットから第３及び第４の直交シーケンスを選択することと；
データを送るために前記第１のＵＥに前記第３の直交シーケンス割り当てることと；
データを送るために前記第２のＵＥに前記第４の直交シーケンス割り当てることと；
を更に含むことを特徴とする請求項１に記載の方法。
【請求項５】
複数のシンボル周期の複数のサブキャリアで前記第１のＵＥからの第１のデータ・シーケンスのセットを受信することと、なお、前記第１のデータ・シーケンスのセットが前記第１の参照シーケンス及び前記第３の直交シーケンスに基づいて前記第１のＵＥによって生成される；
前記複数のシンボル周期の前記複数のサブキャリアで前記第２のＵＥからの第２のデータ・シーケンスのセットを受信することと、なお、前記第２のデータ・シーケンスが前記第２の参照信号シーケンス及び前記第４の直交シーケンスに基づいて前記第２のＵＥによって生成される；
を更に含むことを特徴とする請求項４に記載の方法。
【請求項６】
離散フーリエ変換（ＤＦＴ）行列に基づいて生成された直交シーケンスのセットから第１及び第２の直交シーケンスを選択し、
ベース・シーケンスの異なる周期シフトに基づいて生成された参照信号シーケンスのセットからの第１及び第２の参照信号シーケンスを選択し、
パイロット・シーケンスを送るために第１のユーザ設備（ＵＥ）に前記第１の参照信号シーケンス及び前記第１の直交シーケンスを割り当て、
パイロット・シーケンスを送るために第２のＵＥに前記第２の参照信号シーケンス及び前記第２の直交シーケンスを割り当てる、
ように構成された少なくとも１つのプロセッサを含むことを特徴とする無線通信のための装置。
【請求項７】
前記少なくとも１つのプロセッサは、
ウォルシュ行列に基づいて生成された第２の直交シーケンスのセットから第３及び第４の直交シーケンスを選択し、
データを送るために前記第１のＵＥに前記第３の直交シーケンスを割り当て、
データを送るために前記第２のＵＥに前記第４の直交シーケンスを割り当てる、
ように構成されることを特徴とする請求項６に記載の装置。
【請求項８】
ベース・シーケンスの異なる周期シフトに基づいて生成された参照信号シーケンスのセットから参照信号シーケンスを取得することと、なお、前記参照信号シーケンスは、サブフレームの異なるスロットのために異なるベース・シーケンスが使用され、前記異なるベース・シーケンスが使用されることは、前記ベース・シーケンスの異なる周期シフトが使用されることである；
前記参照信号シーケンスに基づいて複数のパイロット・シーケンスを生成することと；
少なくとも１つのシンボル周期によって分離された複数のシンボル周期の中の複数のサブキャリア上で前記複数のパイロット・シーケンスを送ることと、なお、各シンボル周期で１つのパイロット・シーケンスが送られ、各パイロット・シーケンスは前記複数のサブキャリアで送られる；
チャネル品質インジケータ（ＣＱＩ）情報又はＣＱＩ及び肯定応答（ＡＣＫ）情報に基づいて複数の変調シンボルを生成することと；
複数のデータ・シーケンスを得るために前記複数の変調シンボルで前記参照信号シーケンスを変調することと；
データのための複数のシンボル周期の前記複数のサブキャリアで複数のデータ・シーケンスを送ることと、なお、データのための各シンボル周期で１つのデータ・シーケンスが送られ、各データ・シーケンスは前記複数のサブキャリアで送られる；
を含むことを特徴とする無線通信のための方法。
【請求項９】
前記複数のパイロット・シーケンスを生成することは、前記参照信号シーケンスをそのまま使用することを特徴とする請求項１に記載の方法。
【請求項１０】
２つのパイロット・シーケンスは、前記参照信号シーケンスに基づいて生成され、各スロットが７つのシンボル周期を含む２つのスロット各々の２つのシンボル周期で送られること、
１０個のデータ・シーケンスは、前記参照信号シーケンス及び１０個の変調シンボルに基づいて生成され、前記２つのスロットの残りの１０シンボル周期で送られること、
を特徴とする請求項１に記載の方法。
【請求項１１】
ベース・シーケンスの異なる周期シフトに基づいて生成された参照信号シーケンスのセットから参照信号シーケンスを取得し、なお、前記参照信号シーケンスは、サブフレームの異なるスロットのために異なるベース・シーケンスが使用され、前記異なるベース・シーケンスが使用されることは、前記ベース・シーケンスの異なる周期シフトが使用されることである、
参照信号シーケンスに基づいて複数のパイロット・シーケンスを生成し、
少なくとも１つのシンボル周期で分離された複数のシンボル周期の複数のサブキャリアで前記複数のパイロット・シーケンスを送る、なお、各シンボル周期で１つのパイロット・シーケンスが送られ、各パイロット・シーケンスは前記複数のサブキャリアで送られ、
チャネル品質インジケータ（ＣＱＩ）情報又はＣＱＩ及び肯定応答（ＡＣＫ）情報の両方に基づいて複数の変調シンボルを生成し、
複数のデータ・シーケンスを得るために前記複数の変調シンボルで前記参照信号シーケンスを変調し、
データのための複数のシンボル周期の前記複数のサブキャリアで前記複数のデータ・シーケンスを送る、なお、データのための各シンボル周期で１つのデータ・シーケンスが送られ、各データ・シーケンスは前記複数のサブキャリアで送られる、
ように構成された少なくとも１つのプロセッサを含むことを特徴とする無線通信のための装置。
【請求項１２】
前記少なくとも１つのプロセッサは、
前記参照信号シーケンスに基づいて２つのパイロット・シーケンスを生成し、
各スロットが７つのシンボル周期を含む２つのスロット各々の２つのシンボル周期で前記２つのパイロット・シーケンスを送り、
前記ＣＱＩ情報又は前記ＣＱＩ及びＡＣＫ情報の両方に基づいて１０個の変調シンボルを生成し、
前記参照信号シーケンス及び１０個の変調シンボルに基づいて１０個のデータ・シーケンスを生成し、
前記２つのスロットの残りの１０シンボル周期で前記１０個のデータ・シーケンスを送る、
ように構成されていることを特徴とする請求項４に記載の装置。